【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
複数の供与体繰返し単位の間に分散する受容体繰返し単位を含有する供与体−受容体型共役ポリマー（ＤＡ-ＣＰ）であって、薄膜状態において、第１酸化還元状態で可視光の高い吸収性を示し、肉眼で観察したときに黒色を示す該ＤＡ-ＣＰ。
【請求項２】
可溶性のポリマーを含有する請求項１に記載のＤＡ-ＣＰ。
【請求項３】
供与体-受容体型エレクトロクロミックポリマー（ＤＡ-ＥＣＰ）を含有し、第１酸化還元状態において可視光の高い吸収性を示すと共に、第２酸化還元状態において可視光の高い透過性を示す請求項１に記載のＤＡ-ＣＰ。
【請求項４】
供与体-受容体型エレクトロクロミックポリマー（ＤＡ-ＥＣＰ）を含有し、第１酸化還元状態において可視光の高い吸収性を示すと共に、第２酸化還元状態において着色する請求項１に記載のＤＡ-ＣＰ。
【請求項５】
受容体繰返し単位が、複数の供与体繰返し単位によって相互に分離される請求項１に記載のＤＡ-ＣＰ。
【請求項６】
受容体繰返し単位が、複数の供与体繰返し単位によって相互に分離される受容体繰返し単位の配列を含有する請求項１に記載のＤＡ-ＣＰ。
【請求項７】
供与体繰返し単位が、受容体繰返し単位間の偶数個の単分散配列中に存在する請求項１に記載のＤＡ-ＣＰ。
【請求項８】
受容体繰返し単位間にある多分散型配列中に供与体繰返し単位が存在し、最小の該配列が少なくとも２個の供与体繰返し単位を有する請求項１に記載のＤＡ-ＣＰ。
【請求項９】
受容体繰返し単位が２,１,３-ベンゾチアジアゾール（ＢＴＤ）単位を含有する請求項１に記載のＤＡ-ＣＰ。
【請求項１０】
受容体繰返し単位が、チアジアゾロキノキサリン、キノキサリン、チエノチアジアゾール、チエノピラジン、ピラジノキノキサリン、ベンゾビスチアジアゾール、チアジアゾロチエノピラジンまたはこれらの任意の混合物の少なくとも１種の誘導体を含有する請求項１に記載のＤＡ-ＣＰ。
【請求項１１】
複数の供与体繰返し単位が、少なくとも１種のチオフェン含有繰返し単位を含有する請求項１に記載のＤＡ-ＣＰ。
【請求項１２】
複数の供与体繰返し単位が、少なくとも１種の３,４-ビス（アルコキシ）チオフェン、少なくとも１種のビス-アルキルオキシ置換３,４-アルキレンジオキシチオフェンまたはこれらの任意の混合物を含有する請求項１に記載のＤＡ-ＣＰ。
【請求項１３】
複数の供与体繰返し単位が、少なくとも１種の縮合チオフェン置換基を含有する請求項１に記載のＤＡ-ＣＰ。
【請求項１４】
複数の供与体繰返し単位が、少なくとも１種のモノ−、ジ−またはポリ−アルキルオキシ置換チオフェン；少なくとも１種のモノ−、ジ−またはポリ−アリールオキシ置換チオフェン；少なくとも１種のジ−またはポリ−アリールオキシアルコキシ置換チオフェン；少なくとも１種のモノ−、ジ−またはポリ−アルコキシ置換３,４-アルキレンジオキシチオフェン；少なくとも１種のモノ−、ジ−またはポリ−アリールオキシ置換３,４-アルキレンジオキシチオフェン；少なくとも１種のジ−またはポリ−アリールオキシアルコキシ置換３,４-アルキレンジオキシチオフェン；またはこれらの任意の混合物を含有する請求項１に記載のＤＡ-ＣＰ。
【請求項１５】
以下の工程を含む、可溶性の供与体−受容体含有共役ポリマー（ＤＡ-ＣＰ）の調製方法であって、該ＤＡ-ＣＰが、薄膜形態で可視光の高い吸収性を示し、肉眼で観察したときに黒色を示す該方法：
（ｉ）少なくとも１種の内部受容体繰返し単位と複数の供与体繰返し単位とを含有する少なくとも１種のＤＡオリゴマーであって、該ＤＡオリゴマーの各末端に少なくとも１種の供与体繰返し単位が存在する該オリゴマーを多量に含有する重合混合物を調製し、次いで、
(ii)該重合混合物を化学的に重合させる。
【請求項１６】
ＤＡオリゴマー中の複数の受容体繰返し単位が、複数の供与体繰返し単位を含有する配列によって相互に分離される請求項１５に記載の方法。
【請求項１７】
配列が偶数個であり単分散型である請求項１６に記載の方法。
【請求項１８】
配列が多分散型であり、該配列の各々が複数の供与体繰返し単位を含有する請求項１６に記載の方法。
【請求項１９】
受容体繰返し単位が２,１,３-ベンゾチアジアゾール（ＢＴＤ）単位を含有する請求項１５に記載の方法。
【請求項２０】
受容体繰返し単位が、チアジアゾロキノキサリン、キノキサリン、チエノチアジアゾール、チエノピラジン、ピラジノキノキサリン、ベンゾビスチアジアゾール、チアジアゾロチエノピラジンの少なくとも１種の誘導体、またはこれらの任意の混合物を含有する請求項１５に記載の方法。
【請求項２１】
複数の供与体繰返し単位が、少なくとも１種の３,４-ビス（アルコキシ）チオフェン、少なくとも１種のビス-アルキルオキシ置換３,４−アルキレンジオキシチオフェンまたはこれらの任意の混合物を含有する請求項１５に記載の方法。
【請求項２２】
複数の供与体繰返し単位が、以下の成分を含有する請求項１５に記載の方法：少なくとも１種のモノ−、ジ−またはポリ−アルキルオキシ置換チオフェン；少なくとも１種のモノ−、ジ−またはポリ−アリールオキシ置換チオフェン；少なくとも１種のジ−またはポリ−アリールオキシアルコキシ置換チオフェン；少なくとも１種のモノ−、ジ−またはポリ−アルコキシ置換３,４-アルキレンジオキシチオフェン；少なくとも１種のモノ−、ジ−またはポリ−アリールオキシ置換３,４-アルキレンジオキシチオフェン；少なくとも１種のジ−またはポリ−アリールオキシアルコキシ置換３,４-アルキレンジオキシチオフェン；またはこれらの任意の混合物。
【請求項２３】
ＤＡ−オリゴマーが、H-(D)ｍ-A-(D)ｍ’-Hおよび／またはH-(DｘD'ｙ)ｍ-A-(Dｘ'D'ｙ')ｍ’-H（式中、Ａは受容体単位を示し、ＤおよびＤ’は異なる供与体単位を示し、ｍおよびｍ’はそれぞれ独立して１〜５を示して、単分散性または多分散性を示し、ｘは０〜ｍを示し、ｘ’は０〜ｍ’を示し、ｙはｍ−ｘを示し、ｙ’はｍ’−ｘ’を示し、ＤまたはＤ’はＡまたは末端基に隣接する）で表される構造を有する少なくとも１種のオリゴマーを含有する請求項１５に記載の方法。
【請求項２４】
ＤＡ−オリゴマーが、H-(DｘD'ｙ)-A'-(Dｘ'D'ｙ')-H、H-(DｘD'ｙ)-(A)n-(Dｘ'D'ｙ')-H、H-(DｘD'ｙ)-(A')n-(Dｘ'D'ｙ')-H、H-(DｘD'ｙ)-(AwA'z)-(Dｘ'D'ｙ')-H、H-[(DｘD'ｙ)-(A)]n-(Dｘ'D'ｙ')-H、およびH-(DｘD'ｙ)-A-(Dｘ'D'ｙ')-A'-(Dｘ''D'ｙ'')-H（これらの式中、ＡおよびＡ'は異なる受容体単位を示し、ＤおよびＤ’は異なる供与体単位を示し、ｘは０〜ｍを示し、ｘ’は０〜ｍ’を示し、ｙはｍ−ｘを示し、ｙ’はｍ’−ｘ’を示し、ｗは０〜ｎ'を示し、ｚはｎ'−ｗを示し、ｍ、ｍ'、ｍ''、ｎおよびｎ'はそれぞれ独立して１〜５を示して、単分散性または多分散性を示し、ＤまたはＤ’は、Ａ、Ａ’および末端基に隣接する）で表される構造を有する少なくとも１種の別のオリゴマーを含有する請求項２３に記載の方法。
【請求項２５】
ＤＡ−オリゴマーの供与体単位と同一または異なる供与体単位を含有する少なくとも１種のモノマーを重合混合物へ添加する工程を更に含む請求項１５に記載の方法。
【請求項２６】
ＤＡ−オリゴマーまたはモノマーの供与体単位と同一または異なる供与体単位を含有する少なくとも１種のＤオリゴマーを重合混合物へ添加する工程を更に含む請求項１５に記載の方法。
【請求項２７】
ＤＡ−オリゴマー中の供与体単位と同一または異なる供与体単位を含有する少なくとも１種のＤオリゴマーを重合混合物へ添加する工程を更に含む請求項１５に記載の方法。